(57)【特許請求の範囲】
【請求項１】
変動周期の長い常時電圧変動を補償する電圧調整装置及び変動周期の短い瞬時電圧変動を補償する無効電力補償装置を接続し、この両装置により系統電圧の補償分担が行われる電力系統に対し、系統電圧に応じた無効電力補償量または、無効電流補償量を求めて前記無効電力補償装置を制御する制御装置を備えた無効電力補償システムにおいて、
前記制御装置は、検出した系統電圧から前記瞬時電圧変動の瞬時成分と、変動周期が前記瞬時電圧変動より長く前記常時電圧変動より短い中間周波領域にある中間成分とを抽出する電圧変動成分抽出手段を設け、抽出した前記瞬時成分の補償ゲインを前記中間成分の補償ゲインより高くして前記無効電力補償量を算出することを特徴とする無効電力補償システム。
【請求項２】
請求項１において、前記電圧変動成分抽出手段は、前記瞬時成分以上を通過させる第１のフィルタと、前記中間成分を通過させる第２のフィルタと、前記第１のフィルタの出力に前記瞬時成分の補償ゲインを乗じ、前記第２のフィルタの出力に前記中間成分の補償ゲインを乗じ、それぞれの乗算結果を加算する演算回路を設けてなることを特徴とする無効電力補償システム。
【請求項３】
変動周期の長い常時電圧変動を補償する電圧調整装置及び変動周期の短い瞬時電圧変動を補償する無効電力補償装置を接続して、この両装置により系統電圧の補償分担が行われる電力系統に対し、系統電圧に応じた無効電力補償量を求めて前記無効電力補償装置を制御する制御装置を備えた無効電力補償システムにおいて、
前記制御装置は、検出した系統電圧から前記瞬時電圧変動の瞬時成分と、前記瞬時電圧変動より変動周期が長く前記常時電圧変動より短い中間周波成分を抽出する電圧変動成分抽出手段を設け、前記瞬時成分を補償後の前記中間周波成分の電圧補償分担が前記電圧調整装置の補償動作と協調するように、前記電圧変動成分抽出手段の制御定数を、前記瞬時成分の補償ゲインを前記中間成分の補償ゲインより高く設定してなることを特徴とする無効電力補償システム。
【請求項４】
請求項３において、前記変動成分抽出手段は、前記瞬時成分以上を通過させる第１のフィルタと、前記中間周波成分を通過する第２のフィルタと、前記第１のフィルタの出力に前記瞬時成分の補償ゲインを乗じ、前記第２のフィルタの出力に前記中間成分の補償ゲインを乗じ、それぞれの乗算結果を加算する演算回路を設けてなることを特徴とする無効電力補償システム。
【請求項５】
請求項４において、前記第１のフィルタのカットオフ周波数または、時定数の逆数は系統電圧が許容限度以下に低下しない範囲で大きく、かつ、前記第２のフィルタの出力に乗じる補償ゲインは系統電圧が前記電圧調整器の不感帯下限を僅かに下回る値に保持されるように、それぞれ設定してなることを特徴とする無効電力補償システム。
【請求項６】
請求項１〜５のいずれかにおいて、前記制御装置は、前記電圧変動成分抽出手段の出力を入力とし、所定不感帯幅を持つ不感帯回路を設けてなることを特徴とする無効電力補償システム。
【請求項７】
請求項６において、前記所定不感帯幅は、前記電圧調整装置の１回のタップ補償電圧を上回る値としてなる無効電力補償システム。
【請求項８】
請求項１〜７のいずれかにおいて、前記制御装置は、系統電圧の検出値と前記無効電力補償装置の出力電流の検出値とを用いて系統に生じた電圧変動を推定し、前記電圧変動成分抽出手段の制御定数を変更する手段を設けたことを特徴とする無効電力補償システム。
【発明の詳細な説明】
【０００１】
【発明の属する技術分野】
本発明は、電力系統に設置され系統の電圧変動を電圧調整器と分担して補償する無効電力補償システムに関する。
【０００２】
【従来の技術】
最近の配電系統では、昼夜の負荷変化による１日の電圧差が拡大する常時電圧変動に加えて、大容量電動機負荷等による瞬時電圧変動が頻発している。このような瞬時電圧変動は地域的な偏りが著しく、例えば砕石機、スキーリフト、クレーン、アーク炉などの負荷が多い配電線では、それらの始動時や過負荷時などに瞬時電圧低下が多発する。一方、ＯＡ機器等の電子装置はこの瞬時電圧変動による誤動作の恐れが有り、特に配電線定格のあるレベル以下になると機器がダウンして、その影響が広範に及ぶこともある。このため、変動周期の長い常時の電圧変動から数十ミリ秒程度の瞬時の電圧変動までを対象とした広い周波数領域にわたる電圧品質の維持が必要となっている。
【０００３】
図９に、配電線の電圧変動の状況を示す。（ａ）は１日負荷による２４時間周期の常時電圧変動と、これに重畳するヒゲ状の短時間の電圧変動を示している。短時間の電圧変動は昼間の特定の時間帯に集中的に発生することが多い。（ｂ）は、短時間の電圧変動が発生している時間帯の一部を示している。特殊負荷、例えば大容量誘導電動機では始動時に定格の数倍の起動電流によって電圧変化が発生する。これら短時間の電圧変動は、数十ミリ〜数秒の瞬時成分から数分程度に及ぶ範囲の周波数帯域を有している。
【０００４】
配電系統における主な電圧変動の制御装置として、電圧調整器と無効電力補償装置の２種類がある。電圧調整器は配電線上に設置し、２次側の電圧をタップの切り換えにより調整する。具体的には、設置点より２次側の電圧と基準電圧の差が、あらかじめ設定された不感帯幅を越え、かつその時間が所定の動作時限を越えた時に、電圧を不感帯内に戻す方向にタップを切り換える。このとき、頻繁なタップ切り換えによる機械接点の磨耗を防ぐため、動作時限を通常３０秒〜２分程度に設定している。
【０００５】
無効電力補償装置は、例えば自励式の無効電力補償システムの場合、インバータを用いて高速かつ連続的に進みから遅れまでの無効電力を発生して線路電圧を補償する。無効電力補償装置では、例えば数十ミリ秒のオーダで高速に電圧変動を補償することが可能である。高速制御可能な無効電力補償装置を用いれば、理論的には常時変動から瞬時変動までの電圧補償が可能である。しかし、配電系統の負荷容量に匹敵する装置容量が必要となるので、設置スペース、重量、コスト等の制約から実現は難しい。
【０００６】
そこで、電圧調整器と無効電力補償装置を同一配電線に併設して、両者の役割分担を図ることが行われている。即ち、変動時間の長い常時電圧変動は電圧調整器が補償し、変動時間の短い瞬時電圧変動を無効電力補償装置が補償するように分担し、広い周波数領域にわたる電圧変動抑制を実現している。
【０００７】
このような電圧調整器との役割分担を行う無効電力補償装置として、例えば、特開平5−27856号公報に記載されたものが知られている。この無効電力補償装置の制御回路では、配電線電圧Ｖを低域通過フィルタに通し、その入出力の差より配電線電圧中の変化率の速い電圧変動成分△ＶＦを抽出し（結果として、高域通過フィルタとして作用）、この△ＶＦを零にするように無効電力補償量を制御している。一方、電圧調整器は制御速度が遅いため、無効電力補償システムが補償しない比較的変化率の遅い電圧変動分を調整する。その結果、瞬時電圧変動を無効電力補償システム、常時電圧変動を電圧調整器という補償分担が行われている。
【０００８】
【発明が解決しようとする課題】
従来の無効電力補償システムは電圧調整器との協調動作に欠ける面があり、無効電力補償装置が配電線の瞬時変動電圧の補償後に電圧調整器へ補償分担する過程に長時間を要し、結果的に、この間における無効電力補償システムの瞬時変動の補償能力を低下させていた。
【０００９】
図１０に、従来の無効電力補償装置の電圧変動抽出特性を示す。図示の横軸は時間、縦軸は電圧である。Ｔ１は上記引用例におけるフィルタの時定数で、低域フィルタ（１／（１＋Ｔ１））、または高域フィルタ（１−１／（１＋Ｔ１）＝Ｔ１／１＋Ｔ１）での時定数Ｔ１である。
【００１０】
Ｔ１が大の場合、Ｔ１が小の場合の２通りの特性を示している。いま、ｔ０で瞬時電圧低下が発生すると、無効電力補償装置は直ちにこの瞬時変動を補償する。その後、時間の経過とともに電圧変動が低周波側へ移行するので、変化率の速い電圧変動成分△ＶＦの抽出量が時定数Ｔ１の逆数（カットオフ周波数＝１／Ｔ）に応じて下がる。このため、無効電力補償装置の補償量が低下し、電圧も低下する。この電圧が電圧調整器の不感帯下限レベルを超えて、動作時限の時間を過ぎると、電圧調整器のタップが動作し、下がった電圧を分担する。このようにして、瞬時領域で無効電力補償装置が担った電圧補償分が、電圧調整器へと分担されていく。
【００１１】
ところで、時定数Ｔ１が小さいほど電圧低下が速いので、配電電圧が不感帯下限レベルを超えてから動作時限に至る前に許容限界（定格未満のあるレベル）以下となる恐れがある。このため、従来は時定数Ｔ１を大きくして、電圧調整器の動作時限に至る前に配電電圧が許容限界まで低下しないようにしている。つまり、瞬時補償後の配電電圧が緩やかになるように、無効電力補償装置を動作させている。しかし、電圧調整器との過渡的な補償分担過程に長い時間を要するため、連続的に瞬時電圧変動が発生するような配電線では、補償中に発生した次の瞬時電圧変動を補償しきれず、配電線上の他の負荷に障害が引き起こされる問題があった。
【００１２】
本発明の目的は、上記従来技術の問題点を克服し、配電線に連続的に瞬時電圧変動が発生するような場合にも、安定な配電電圧を補償しながら電圧調整器との過渡的な補償分担過程の期間を短縮して、次々と起こる瞬時電圧変動に対して十分な補償効果が得られるような無効電力補償システムを提供することにある。
【００１３】
【課題を解決するための手段】
上記課題を解決する本発明は、変動周期の長い常時電圧変動を補償する電圧調整装置及び変動周期の短い瞬時電圧変動を補償する無効電力補償装置を接続し、この両装置による電圧補償の分担が行われる電力系統に対し、系統電圧に応じた無効電力補償量を求めて前記無効電力補償装置を制御する制御装置を備えた無効電力補償システムにおいて、前記制御装置は、検出した系統電圧から前記瞬時電圧変動の瞬時成分と、前記瞬時電圧変動と前記常時電圧変動の中間周波領域にある中間成分を抽出する電圧変動成分抽出手段を設け、抽出した両成分に基づいて前記無効電力補償量を算出することを特徴とする。なお、上記の無効電力補償量は無効電流補償量と置き換えてもよい。
【００１４】
または、前記制御装置は、検出した系統電圧から前記瞬時電圧変動の瞬時成分と、前記瞬時電圧変動より変動周期の長い中間周波成分を抽出する電圧変動成分抽出手段を設け、前記瞬時成分を補償後の前記中間周波成分の電圧補償分担が前記電圧調整装置の補償動作（速度）と協調するように、前記電圧変動成分抽出手段の制御定数を設定してなることを特徴とする。
【００１５】
前記電圧変動成分抽出手段は、前記瞬時成分以上を通過させる第１のフィルタと、前記中間成分を通過させる第２のフィルタと、前記第１のフィルタの出力に第１のゲインを乗じ、前記第２のフィルタの出力に前記第１のゲインより小さい第２のゲインを乗じ、この両乗算の結果を加算する演算回路を設けてなる。
【００１６】
また、前記第１のフィルタのカットオフ周波数（または、時定数の逆数）は系統電圧が許容限度以下に低下しない範囲で大きく、かつ、前記第２のゲインは系統電圧が前記電圧調整器の不感帯下限を僅かに下回る値に保持されるように、それぞれ設定してなる。これにより、前記電圧調整装置の電圧補償動作の速度と協調して、ほぼ最小の時間で、無効電力制御装置から電圧調整器への電圧補償分担を完了できる。
【００１７】
また、前記制御装置は、前記電圧変動成分抽出手段の出力を入力とし、所定不感帯幅を持つ不感帯回路を設けてなる。この不感帯幅を、前記電圧調整装置の１回のタップ補償電圧を僅かに上回る値に設定すると、無効電力補償装置が前記電圧調整装置のタップ切り換えに応動して瞬時的に電圧補償する不要動作を回避でき、無効電力補償装置の補償量を確保できる。
【００１８】
また、前記制御装置は、系統電圧の検出値と前記無効電力補償装置の出力電流検出値とを用いて系統に生じた電圧変動を推定し、前記電圧変動成分抽出手段の制御定数を設定変更する手段を設けたことを特徴とする。これにより、系統電圧の変動に応じて、上記のフィルタの時定数や抽出ゲインが最適化でき、より効率的な電圧補償分担が可能になる。
【００１９】
本発明によれば、瞬時電圧変動の瞬時成分は高いゲインで抽出して補償することができる。その後、瞬時電圧変動が継続して瞬時と常時の間の中間周波変動の周波数領域に移ると、中間周波成分が抽出されるようになる。この中間周波変動は瞬時変動よりも低い所定ゲインで抽出し、無効電力補償量を適当な量にして、系統電圧を電圧調整器の不感帯幅（下限）を少し越えた値に保持することができる。この結果、瞬時の電圧補償後の電圧調整器への過渡的な補償分担を、短時間で、かつその過程で生じる電圧変化を必要最小に抑えて完了できる。従って、瞬時電圧変動が連続的に発生するような配電線においても、無効電力補償システムは補償量を十分確保した状態で次の瞬時変動を補償することができる。
【００２０】
なお、瞬時電圧変動とは少なくとも電圧調整器の動作時限よりも短い時間の電圧変動で、数十ミリ秒から数秒の時間で起こる電圧変動を表す。また常時電圧変動とは、電圧調整器の電圧調整動作が十分収束する程度の時間に対応する電圧変動で、数分以上の電圧変動を表し、中間周波変動とは瞬時電圧変動と常時電圧変動の中間の周波領域の電圧変動を表す。
【００２１】
さらに、本発明における無効電力補償装置とは、進みから遅れまでの無効電力を連続的に出力して、電圧調整器よりも高速に（例えば、数百ミリ秒以下）電圧変動を補償する装置を指し、機械的接点を用いないサイリスタ、ＩＧＢＴ等のパワーデバイスにより構成される。また、電圧調整器とは、タップの切替により段階的に電圧する装置を指し、通常は数秒〜数分の動作時限を持つタップ切替装置とタップ付きトランスを使用する。
【００２２】
【発明の実施の形態】
以下、本発明の実施の形態を図面を参照して説明する。図１は、本発明の実施例１による無効電力補償システムを示す構成図である。配電変電所トランス１に接続された配電線２上で、電源側から離れた負荷側に近い位置に無効電力補償装置３、電源側に近い位置に電圧調整器４が接続されている。また、配電線２には、一般的な負荷５および大容量電動機のような瞬時の電圧変動を発生させる負荷６が複数接続されている。電圧調整器４は、図示していない巻線タップ切り換え装置により、電圧調整器４の負荷側端の系統電圧を検出し、その検出電圧が不感帯を有する上下限設定値を越え、かつ所定の動作時限を経過したときに、昇圧または降圧方向にタップ４０を切り換える。
【００２３】
無効電力補償システムは無効電力補償装置３と制御装置７より構成される。無効電力補償装置３は、半導体スイッチ素子を用いて形成したインバータが適用され、系統電圧を入力とする制御装置７からの制御信号に基づいて、配電線に進みまたは遅れの無効電力を出力する。
【００２４】
制御装置７は、無効電力補償装置３が接続された位置の電圧センサ８を介し、電圧検出回路９で検出した系統電圧（設置点電圧）を入力する。この設置点電圧の検出値より、特定電圧変動群抽出回路１０と補償ゲイン回路１１を介して、電圧変動の特定の周波数成分を補償するような無効電流指令値（または、無効電力指令値）を出力する。補償ゲイン回路１１は、特定電圧変動群抽出回路１０の出力に所定の補償ゲインを乗算して、無効電流指令を算出する。電流制御回路１２は、無効電流指令値に対応する無効電流が無効電力補償装置３から出力されるように、ＰＷＭ制御回路１３に制御信号を出力する。ＰＷＭ制御回路１３は、制御信号に従ってインバータのゲートパルス信号を生成し、無効電力補償装置３へ出力する。無効電力補償装置３はこのゲートパルス信号に基づいて、所要の無効電力を発生する。このようにして、無効電力補償システムは、検出した配電線電圧の電圧変動中の特定の周波数成分を補償するように、電流制御回路１２を介して無効電力出力を制御する。
【００２５】
実施例１の無効電力補償システムは、電圧変動の特定領域の周波数成分を抽出し、その周波数成分の領域に応じて抽出ゲインの異なる特定電圧変動群抽出回路１０を設けた制御装置７に特徴がある。すなわち、特定電圧変動群抽出回路１０では、電圧検出回路９により検出された無効電力補償装置３の設置点電圧に対して、瞬時変動抽出回路１４により、瞬時の電圧変動成分を抽出し、この瞬時成分値に瞬時変動用のゲインＫ１を抽出ゲイン１５にて乗算する。また、設置点電圧に対して、中間周波変動抽出回路１６により、瞬時電圧変動と常時電圧変動の中間周波領域の変動である中間成分を抽出して、この中間成分値に中間周波変動用のゲインＫ２を抽出ゲイン１７にて乗算する。ゲインを乗算した後の瞬時変動成分抽出値と中間周波変動抽出値は、加算器１８により加算される。
【００２６】
このようにして、特定電圧変動群抽出回路１０では、配電電圧からそれぞれ所定のゲインで抽出された瞬時変動成分と中間周波変動成分を加算した変動成分が出力される。ここで、瞬時電圧変動とは少なくとも電圧調整器の動作時限よりも短い時間の電圧変動で、数十ミリ秒から数秒程度の時間で起きる電圧変動を表す。また、常時電圧変動とは電圧調整器の調整動作が十分収束する程度の時間に対応する電圧変動で、数分以上の電圧変動を表す。
【００２７】
上述したように、特定電圧変動群抽出回路１０と補償ゲイン回路１１は、瞬時変動と中間周波変動を抽出して、その変動の周波数に応じて補償量を調整するような制御回路となっている。本実施例では、この瞬時変動抽出と中間周波変動抽出に対する抽出周波数帯域と抽出ゲインを、電圧調整器４の動作時限と不感帯幅とに対応させて設定することにより、無効電力補償装置と電圧調整器の補償分担を協調させることができ、分担過程にかかる時間を短縮する。これにより、分担過程で生じる瞬時電圧変化を最小限に抑えて、電圧調整器４へ補償を分担させることができる。
【００２８】
次に、特定電圧変動群抽出回路１０の詳細な構成を説明する。特定電圧変動群抽出回路１０は瞬時変動を抽出する瞬時変動抽出回路１４と抽出ゲイン１５、瞬時と常時の間の中間周波変動を抽出する中間周波変動抽出回路１６と抽出ゲイン１７、および加算器１８によって構成される。瞬時変動抽出回路１４はカットオフ周波数以上の高域通過フィルタ１９により構成される。高域通過フィルタ１９はカットオフ周波数（＝１／Ｔ１）以上の瞬時変動成分に対して０ｄＢ（＝１）のゲインをもち、それ以下の周波数に対しては周波数が低くなるにつれゲインが減衰する特性をもつ。瞬時変動抽出回路１４の出力は、抽出ゲイン１５によってゲインＫ１を乗算されるので、結局、周波数１／Ｔ１以上の瞬時変動成分は、ゲインＫ１倍で抽出されて、加算器１８に入力される。
【００２９】
中間周波変動抽出回路１６は、カットオフ周波数１／Ｔ２の低域通過フィルタ２０とカットオフ周波数１／Ｔ３の高域通過フィルタ２１の直列回路によって構成される。この直列回路全体の特性は、周波数１／Ｔ２から周波数１／Ｔ３の周波数帯域をゲイン０ｄＢ（＝１）で抽出する帯域通過フィルタとなっており、１／Ｔ２から１／Ｔ３の周波数帯域が中間周波変動成分の帯域に対応している。中間周波変動抽出回路１６の出力は抽出ゲイン１７によってゲインＫ２を乗算されるので、結局、中間周波変動成分はゲインＫ２で抽出されて、加算器１８に入力される。加算器１８では、ゲインＫ１で抽出された瞬時変動成分と、ゲインＫ２で抽出された中間周波変動成分とが加算されて、その結果が特定電圧変動群抽出回路１０の出力となる。
【００３０】
図２に、本実施例による特定電圧変動群抽出回路の周波数抽出特性を示す。特定電圧変動群抽出回路１０の電圧変動抽出特性で、横軸は周波数、縦軸は抽出ゲインである。同図で、周波数１／Ｔ１以上が瞬時変動の周波数領域であり、周波数１／Ｔ３以上１／Ｔ２以下が中間周波変動の周波数領域である。ここで、特定電圧変動群抽出回路１０の制御定数、すなわち抽出回路のカットオフ周波数（または時定数）と抽出ゲインの設定方法を説明する。
【００３１】
抽出回路のカットオフ周波数は、それぞれ瞬時変動抽出回路１４の高域通過フィルタのカットオフ周波数１／Ｔ１、中間周波変動抽出回路１６の低域通過フィルタのカットオフ周波数１／Ｔ２、高域通過フィルタのカットオフ周波数１／Ｔ３である。１／Ｔ１は瞬時変動領域を規定する定数であり、補償対象とする瞬時変動の周波数範囲を考慮して設定される。通常、１／Ｔ１は時定数Ｔ１を数秒から十数秒以下に設定する。
【００３２】
１／Ｔ２、１／Ｔ３は中間周波変動領域の上限と下限を決める定数である。１／Ｔ２は、１／Ｔ２＜１／Ｔ１を満たし、かつ時定数の差Ｔ２−Ｔ１が次の条件を満たすように決められる。すなわち、Ｔ２−Ｔ１は、瞬時変動領域から中間周波変動領域へ遷移するまでの時間に対応しており、この時間に電圧が電圧調整器４の不感帯レベルを越える値となるように調整させる。従って、Ｔ２−Ｔ１はできるだけ短く、しかし、短時間の電圧低下が配電線上の負荷に影響を与えないような許容範囲（例えば、定格未満のあるレベルを維持できる範囲）で設定される。本例では、Ｔ２−Ｔ１が数秒程度となるように、Ｔ２が設定される。
【００３３】
１／Ｔ３も時定数Ｔ３を基準にして設定される。Ｔ３は中間周波変動領域の終了時間に対応しており、これは無効電力補償装置３と電圧調整器４との過渡的な補償分担が終了する時間に対応する。補償分担が終了する時間は、対象とする瞬時電圧変動幅を電圧調整器４のタップ調整の電圧幅で割り算した商（タップ切替回数）に、電圧調整器４の動作時限をかけ算した結果として見込むことができる。例えば、対象とする瞬時電圧変動幅が５００Ｖ、電圧調整器４のタップ調整の電圧幅が１００Ｖ、電圧調整器４の動作時限を１分とすると、補償分担の終了時間は、約５分と見積もることができる。Ｔ３は、補償分担終了時間に適当な余裕時間を足した値とし、通常は数分程度に設定される。
【００３４】
次に、抽出ゲイン１５のゲインＫ１と抽出ゲイン１７のゲインＫ２の設定法を説明する。ゲインＫ１は瞬時変動成分に対するゲインであり、通常はＫ１＝１、すなわち０ｄＢに設定される。ゲインＫ２は中間周波変動成分に対するゲインであり、中間周波変動領域において電圧が電圧調整器４の不感帯レベルをわずかに越えるように、抽出ゲインＫ２をＫ１に対して小さく設定される。具体的には、補償対象とする瞬時電圧変動幅を△Ｖとすると、△Ｖ・（Ｋ１−Ｋ２）が電圧調整器４の不感帯幅を越えるように設定する。例えば、△Ｖ＝５００Ｖ、Ｋ１＝１、電圧調整器４の不感帯幅を１２０Ｖとすると、Ｋ２は０．７６（＝−２．４ｄＢ）よりも小さくなるように設定される。なお、発生する瞬時電圧変動幅△Ｖが一定しない場合には、その中で最大の変動幅もしくは最も発生頻度の高い変動幅が△Ｖに設定される。
【００３５】
この特定電圧変動群抽出回路１０は以下のように動作する。周波数１／Ｔ１以上の瞬時変動の周波数領域では、瞬時変動抽出回路１４と抽出ゲイン１５の作用により、０ｄＢ（＝１）のゲインで、この領域の瞬時成分が抽出される。周波数１／Ｔ３以上１／Ｔ２以下が中間周波変動の周波数領域では、中間周波変動抽出回路１６と抽出ゲイン１７の作用により、−ＸｄＢ（＝２０ｌｏｇ（−Ｘ））のゲインで、この領域の中間成分が抽出される。また、周波数１／Ｔ１以下と周波数１／Ｔ２以上の領域は、０ｄＢと−ＸｄＢを結ぶ直線のゲインとなるが、厳密には瞬時変動抽出回路１４及び中間周波変動抽出回路１６の周波数特性と各々のゲインより決定される。
【００３６】
次に、本実施例による無効電力補償システムの電圧変動補償動作を説明する。図３は、本無効電力補償システムの補償動作を示す特性図で、横軸に時間、縦軸に無効電力補償装置３の設置点電圧を示す。横軸に平行した点線は、電圧調整器４の不感帯の下限レベルＶlowを表す。
【００３７】
ここで、電圧調整器４の動作について補足する。電圧調整器４の動作は不感帯幅と動作時限によって決められている。電圧調整器４はタップ４０の２次側電圧を検出し、タップ２次側電圧が不感帯幅を越えた時点からの時間が動作時限を越えるとタップが切り換わり、電圧が不感帯内へ入るように制御する。通常、不感帯幅は定格電圧の数％、動作時限は３０秒〜２分程度に設定される。なお、図３では、無効電力補償装置３の補償動作の説明を容易にするために、電圧調整器４はタップ固定（切り換えがない）の状態を仮定している。
【００３８】
まず時刻t0以前は、配電線電圧に変化のない定常状態にあり、図２の常時変動領域に対応する。常時変動領域では抽出ゲインはほぼ０であり、無効電力補償装置３の電圧補償量もほぼ０となっている。時刻t0において瞬時電圧低下が発生し、設置点電圧は瞬時（数ミリ秒程度）に△Ｖ低下する。この時刻t0直後からt1の時間は瞬時変動領域に対応し、ゲイン＝１で抽出されるため、無効電力補償装置３の補償量も大きく、電圧は瞬時に元のレベルまで回復される。
【００３９】
時刻t1からt2の時間は、瞬時変動領域と中間周波変動領域の間の領域に相当する。図２のように、この周波数領域での抽出ゲインは減衰する特性をもつので、無効電力補償装置３の補償量も時間とともに減少する。この結果、電圧も低下し、時刻t2において電圧調整器４の不感帯下限レベルＶlowをわずかに越える値まで下がる。ここで、t1からt2の時間幅は、短時間の電圧低下が配電線上の機器に影響を与えない範囲で、短く設定される（数秒程度）。すなわち、t1からt2の電圧の低下は時定数Ｔ１と時定数Ｔ２から定まり、前半は主にＴ１によって急に低下し、後半は主にＴ２によって緩やかな低下となる。この結果、配電線電圧を電圧調整器４の不感帯下限レベルＶlowまで速く調整でき、その分、電圧調整器４の補償分担を速やかに開始できる。
【００４０】
時刻t2からt3の時間は中間周波変動の領域に対応する。この領域での抽出ゲインは一定に保持され、無効電力補償装置３の補償量も一定となる。この結果、電圧は電圧調整器４の不感帯下限レベルをわずかに越えた値を維持する。無効電力補償装置３と電圧調整器４との過渡的な補償分担は、この期間において動作時限に達すると実施される。電圧は、電圧調整器４の不感帯下限レベルをわずかに越えた値に維持されるため、補償分担過程における電圧変化は必要最小限に抑えられる。
【００４１】
時刻t3以降の時間は、常時変動領域に対応する。常時変動領域では、特定電圧変動抽出回路１０の抽出ゲインは主に時定数Ｔ３によって下降し、ほぼ０となる。従って、無効電力補償装置３の補償量も減少し、もし電圧調整器４がなければ、電圧は最終的に変動直後の電圧レベルまで下がる。
【００４２】
このように、本実施例の無効電力補償システムでは、瞬時電圧変動はまず高いゲインで抽出され高速に補償される。その後、抽出ゲインが低下し、配電線上の他の負荷に影響を与えない範囲の短時間で、電圧は電圧調整器４の不感帯を越えるレベルまで戻される。そして中間周波変動領域に対応する時間領域では、抽出ゲインは一定となり、電圧は電圧調整器４の不感帯をわずかに越えたレベルに維持されて、電圧調整器４との間で過渡的に補償分担が実施される。すなわち、無効電力補償装置３は、電圧調整器４との過渡的な補償分担において、短時間で分担を開始し、かつ分担の過程で電圧を必要以上に変化させないように動作する。
【００４３】
次に、電圧調整器４が実際に電圧調整動作する場合の補償分担過程を説明する。図４は、本実施例の無効電力補償システムにおける無効電力補償装置と電圧調整器の補償分担動作で、横軸は時間軸、縦軸は配電線電圧を示す。なお、斜線の領域は、無効電力補償装置３が補償分担している電圧量を表している。
【００４４】
時刻t0において、瞬時電圧変動が発生し、瞬時電圧低下が発生する。時刻t0からt1において、無効電力補償装置３は瞬時変動抽出回路１４および抽出ゲイン１５の作用により、電圧変動を瞬時に補償する。時刻t1からt2において、この時間は瞬時変動と中間周波変動に対応するため、図３に説明したように無効電力補償装置３の補償量が減少し、電圧は電圧調整器４の不感帯レベルを越える値まで戻される。時刻t2からt7までの時間が中間周波変動領域に対応し、この期間で電圧調整器４との過渡的な補償分担がなされる。
【００４５】
まず時刻t2からt3において、電圧は電圧調整器４の不感帯レベルをわずかに越えるレベルに維持される。ここで、時刻t2からt3までの時間長は電圧調整器４の動作時限に等しい。電圧が不感帯レベルを越えて動作時限分の時間が経過した時刻t3において、電圧調整器４は電圧を不感帯内に戻そうと電圧を上げる方向にタップを切り換える。この結果、瞬時に電圧が上がるが、無効電力補償装置３が、これを瞬時電圧変動とみなして、瞬時に補償するため、電圧は元のレベルに維持される。この時、斜線で示された無効電力補償装置３の電圧補償量は、電圧調整器４の１タップ分減少する。すなわち、無効電力補償装置３から電圧調整器４へ、電圧調整器４における１タップの電圧補償分が過渡的に分担されている。
【００４６】
時刻t3からt4では、時刻t2からt3と同じ現象が起きている。すなわち、電圧が不感帯レベルを越えて動作時限分の時間が経過したため、時刻t4において、電圧調整器４がタップを切り換え、これによる電圧変化を無効電力補償装置３が補償する。その結果、時刻t4後は、合わせて２タップの電圧補償分が電圧調整器４へ分担されている。時刻t4からt5、時刻t5からt6でも、時刻t2からt3と同じ現象が起きており、無効電力補償装置３から電圧調整器４へ、電圧調整器４の１タップ分ずつ電圧補償分が過渡的に分担されていく。そして、時刻t6において、無効電力補償装置３のすべての電圧補償分が電圧調整器４へと分担されて、補償分担過程が完了する。
【００４７】
この時刻t0からt6までの無効電力補償装置３の補償開始から補償分担終了までの間に要した時間は、電圧調整器４の動作時限の４倍にほぼ等しい。時刻t0で発生した電圧変動△Ｖは、電圧調整器４の４タップ分の電圧変動幅のため、電圧調整器４に補償分担させるには、少なくとも４回のタップ動作が必要になる。図４の補償分担では、ほぼ最短の時間で電圧調整器４への分担を完了している。さらに、分担過程で発生した電圧変化は、電圧調整器４の不感帯レベルをわずかに越えるレベルに保持され、必要最小限に抑えられている。
【００４８】
本実施例では、配電線上に複数の瞬時電圧変動発生負荷６が存在する場合の電圧安定化に有効である。例えば、１つ目の瞬時電圧変動発生負荷６が時刻t0で動作すると、無効電力補償装置３はほぼ最短時間の時刻t6までに電圧調整器４との補償分担を完了し、時刻t6以降に２つ目の瞬時電圧変動発生負荷６が動作するとしても、100%の補償量で補償することが可能になる。また、２つ目の瞬時電圧変動が時刻t6以前、例えば、時刻t4からt5期間に生じた場合でも、時刻t4以前の補償分担作用によって、電圧調整器４の２タップ分の補償量が無効電力補償装置３に確保されている。従って、２つ目の瞬時電圧変動に対しては、２タップ分の瞬時変動を補償することができるので、配電線上の電圧変動を抑制できる。
【００４９】
以上説明したように、本実施例の特定電圧変動群抽出回路１０の作用により、無効電力補償装置３から電圧調整器４への過渡的な補償分担に要する時間をほぼ最短の時間長に短縮することができ、かつその過程で生じる電圧変化を必要最小の変化幅に抑えることができる。その結果、複数の瞬時電圧変動負荷が接続して、瞬時電圧変動が連続的に発生するような配電線においても、無効電力補償装置３は、補償量を十分、もしくはある程度確保した状態で次の瞬時変動を補償することができ、配電線上の他の負荷に及ぼす障害を回避ないし軽減できる。
【００５０】
図５、本発明の第２の実施例による無効電力補償システムの構成図を示す。図１と同等の要素には同一符号を付して説明を省略する。図１の実施例と異なる点は、特定電圧変動群抽出回路１０において、瞬時変動領域と中間周波変動領域をそれぞれ所定のゲインで抽出する階段状周波数特性フィルタ２２を用いたことにある。
【００５１】
本実施例における階段状周波数特性フィルタ２２の変動抽出特性は図２の特性と同じであり、瞬時変動領域と中間周波変動領域を所定のゲインで抽出する階段状の周波数特性を有している。ゲインの設定は上述した通りである。これによれば、図１の実施例と同様の効果が得られるとともに、特定電圧変動群抽出回路２２が一つの要素で構成されるため構成を簡単にできる。さらに、図１の複数要素構成の場合に懸念される干渉作用が発生しないという効果がある。
【００５２】
図６、本発明の第３の実施例による無効電力補償システムの構成図を示す。ここでも、図１と同等の要素には同一符号を付して説明を省略する。図１の実施例と異なる点は、特定電圧変動群抽出回路１０と補償ゲイン１１との間に不感帯回路２３を設けたことにある。
【００５３】
不感帯回路２３は、入力が設定されている不感帯幅内にあれば０を出力し、不感帯を越えると入力をそのまま出力する。この不感帯回路２３は、常時の電圧変動における電圧調整器４のタップ動作に対し、無効電力補償装置３が不要な動作をするのを、以下のように防止する。
【００５４】
まず不感帯回路２３が無い場合を考える。日負荷変動のような１日周期のゆっくりとした負荷変動による常時の電圧変動に対して、電圧調整器４はタップを切り換えて電圧を調整する。このタップ切り換えによるステップ状の電圧変化が、無効電力補償装置３の特定電圧変動郡抽出回路１０内の瞬時変動抽出回路１４で抽出されるため、瞬時の電圧変動が発生したとみなされて、無効電力補償装置３は補償を行う。
【００５５】
しかし、この無効電力補償装置３の補償動作は全く不要な動作であり、この不要動作期間中に、本来対象としている瞬時電圧変動が起こった場合、補償量が不足して、瞬時電圧変動を補償しきれなくなるという可能性がある。また、この不要動作期間中は、無効電力補償装置３は運転による電力損失が増大しており、これも本来不要な損失が生じていることになる。
【００５６】
図６の不感帯回路２３がある場合、不感帯幅は正側、負側とも電圧調整器４の１タップの電圧変化より大きい値に設定する。通常１タップは100V程度なので、不感帯幅は±100Vを越える値に設定する。不感帯回路２３は入力、すなわち特定電圧変動郡抽出回路１０からの出力が、不感帯幅内の値であれば０を出力し、不感帯幅を越える値の場合は入力と同じ値を出力する。
【００５７】
このような不感帯回路２３を設けることにより、常時の電圧変動を調整するための電圧調整器４のタップ切り換えによる電圧変化が、無効電力補償装置３の特定電圧変動郡抽出回路１０内の瞬時変動抽出回路１４で抽出されても、その抽出値は不感帯幅内のため、不感帯回路２３の出力は０となり、無効電力補償装置３は補償出力をしない。また、無効電力補償装置３の補償対象としている瞬時電圧変動は、電圧調整器４の１タップの電圧変化より十分大きく、従って不感帯回路２３の不感帯幅よりも大きいため、このような瞬時電圧変動が発生した場合には、特定電圧変動郡抽出回路１０内の瞬時変動抽出回路１４の出力は、不感帯回路２３を通してそのまま補償ゲイン１１へ入力され、補償動作が行われる。
【００５８】
図７に、不感帯回路２３の入出力特性を示す。同図（ａ）は、上記にて説明した通りの入出力特性を表している。横軸は入力ｘ、縦軸は出力ｙを表し、不感帯幅は正側Ｔ＋から負側Ｔ−までの領域となっている。入力ｘがＴ−≦ｘ≦Ｔ＋ならばｙ＝０、ｘ＜Ｔ−またはｘ＞Ｔ＋ならばｙ＝ｘとなる。
【００５９】
図７（ｂ）は、不感帯回路２３の異なる入出力特性例で、ヒステリシス特性を示している。例えば、入力ｘが不感帯正側のＴ＋を越えた場合、不感帯回路２３の出力ｙはｘが負の値Ｒ＋を負側に越えるまで、ｙ＝ｘの特性を保持する。そして、ｘが負の値Ｒ＋より小さくなるとｙ＝０となり、不感帯幅を越える前の状態に戻る。また入力ｘが不感帯負側のＴ−を負側に越えた場合、不感帯回路２３の出力ｙはｘが正の値Ｒ−を正側に越えるまで、ｙ＝ｘの特性を保持する。
【００６０】
このような特性をもつことにより、入力ｘが正または負側に不感帯を越えた後、再び不感帯幅の中に入っても、出力が０に急変することなく、連続的に変化するようになる。従って、（ａ）の場合は出力の急変を避けるため、不感帯幅を大きく拡げることはできなかったが、（ｂ）の場合は電圧調整器４のタップ切り換えに対する不要動作を避けるように、不感帯幅を大きく拡げて設定することができる。
【００６１】
以上のように、第３の実施例によれば、図１の実施例で得られる効果に加えて、常時電圧変動時の電圧調整器のタップ動作に対する無効電力補償装置の不要動作を防止できるため、瞬時電圧変動に対する補償容量の確保と装置運転損失の低減という効果が得られる。
【００６２】
図８に、本発明の第４の実施例による無効電力補償システムの構成図を示す。図１と同等の要素には同一符号を付して説明を省略する。本実施例では、図１の構成に加えて、電流センサ２４、系統電圧変動推定回路２５、系統電圧変動分析回路２６、制御設定値演算回路２７、時刻情報出力回路２８、配電線電圧変動データベース２９及び外部出力回路３０を設けている。
【００６３】
電流センサ２４は、無効電力補償装置３の出力電流値Icを検出する。出力電流値Icと電圧検出回路９から出力される電圧検出値Ｖが系統電圧変動推定回路２５に入力される。系統電圧変動推定回路２５では、電圧検出値Ｖより、無効電力補償装置３による電圧補償分Ｘ×Ic項を引き算して、無効電力補償装置３が補償しなかった場合の配電線の電圧変動値を演算により推定する。系統電圧変動分析回路２６では、電圧変動推定値より瞬時電圧変動成分が抽出されて、瞬時電圧変動の大きさと変動の継続時間が演算により求められる。制御設定値演算回路２７では、系統電圧変動分析回路２６で求められた瞬時電圧変動の大きさと変動の継続時間より、この瞬時変動を抑制するのに適した制御設定値が演算される。
【００６４】
ここで、演算される制御設定値は、第１の実施例における図１の瞬時変動抽出回路１９の時定数Ｔ１、中間周波変動抽出回路１６の時定数Ｔ２、Ｔ３および抽出ゲイン１５のＫ１、抽出ゲイン１７のＫ２がある。制御定数の設定は、第１の実施例で説明した方法と同様である。制御設定値演算回路２７で設定された制御定数は、特定電圧変動群抽出回路１０に入力されて、各々の制御定数が更新される。また、系統電圧変動推定回路２５で、推定された電圧変動値は、時刻情報出力回路２８の時刻情報出力と合わせて配電線電圧変動データベース２９に蓄積される。外部出力回路３０は配電線電圧変動データベース２９の蓄積データを外部へ出力する。
【００６５】
以上のように、第４の実施例では、系統電圧変動推定回路２５、系統電圧変動分析回路２６、制御設定値演算回路２７を通じて、無効電力補償装置３が設置された配電線の瞬時電圧変動を演算により検出し、これを用いて制御設定値を自動で更新できるようにしている。これによれば、無効電力補償装置３が設置された配電線の瞬時電圧変動発生状況に応じた制御を実施することができるという効果がある。さらに、電圧変動データをデータベース化して、外部にデータを出力できるようにしているので、配電線の電圧管理者が配電線の電圧変動状況を確認できると共に、この電圧変動データを基に制御設定値を見直して、より適した制御設定値に変更することができるという効果がある。
【００６６】
【発明の効果】
本発明によれば、無効電力補償システムから電圧調整器への過渡的な補償分担をほぼ最短の時間長に短縮し、かつその過程で生じる電圧変化を必要最小の変化幅に抑えるので、無効電力補償システムの補償量を確保して次の瞬時変動に備えることができ、瞬時電圧変動が連続的に発生するような配電線の電圧を信頼性高く安定化する効果がある。
【００６７】
また、常時電圧変動時の電圧調整器のタップ動作に対する無効電力補償システムの不要動作を防止できるため、瞬時電圧変動の発生に備えて無効電力補償システムの補償容量を確保することができ、かつ運転損失を低減することができる。
【００６８】
さらに、無効電力補償システムが設置された配電線の電圧変動推定値を基にして、無効電力補償システムの制御装置の制御定数を適宜設定変更できるため、その配電線の瞬時電圧変動発生状況に適した制御を実施することができる。
【図面の簡単な説明】
【図１】本発明の第１の実施例による無効電力補償システムの全体構成図。
【図２】図１の制御装置の動作を示す電圧変動抽出特性の説明図。
【図３】図１の無効電力補償装置の補償動作の説明図。
【図４】図１無効電力補償システムの補償分担過程を示す説明図。
【図５】本発明の第２の実施例による無効電力補償システムの全体構成図。
【図６】本発明の第３の実施例による無効電力補償システムの全体構成図。
【図７】図６の不感帯回路の入出力特性を示す説明図。
【図８】本発明の第４の実施例による無効電力補償システムの全体構成図。
【図９】配電線の電圧変動の状況を示す説明図。
【図１０】従来の無効電力補償システムの補償動作を示す説明図。
【符号の説明】
１…配電変電所トランス、２…配電線、３…無効電力補償装置、４…電圧調整器、５…負荷、６…電圧変動発生負荷、７…無効電力補償システムの制御装置、８…電圧センサ、９…電圧検出回路、１０…特定電圧変動検出回路、１１…補償ゲイン回路、１２…電流制御回路、１３…PWM制御回路、１４…瞬時変動抽出回路、１５…抽出ゲイン回路、１６…中間周波変動抽出回路、１７…抽出ゲイン回路、１８…加算器、１９…高域通過フィルタ、２０…低域通過フィルタ、２１…高域通過フィルタ、２２…階段状周波数特性フィルタ、２３…不感帯回路、２４…電流センサ、２５…系統電圧変動推定回路、２６…系統電圧変動分析回路、２７…制御設定値演算回路、２８…時刻情報出力回路、２９…配電線電圧変動データベース、３０…外部出力回路。
【図１】
0003662781.tif 000002
【図２】
0003662781.tif 000003
【図３】
0003662781.tif 000004
【図４】
0003662781.tif 000005
【図５】
0003662781.tif 000006
【図６】
0003662781.tif 000007
【図７】
0003662781.tif 000008
【図８】
0003662781.tif 000009
【図９】
0003662781.tif 000010
【図１０】
0003662781.tif 000011